(57)【要約】【課題】室内機のエアフィルターの掃除を自動的に行うオートクリーンシステムを有する空気調和機において、システムの動作は空気調和機の使用者が空気調和機本来の動作を期待してリモコン等で運転指示を行った直後または空気調和機の機能停止を実行するためにリモコン等で停止させた後、フィルター部に付着したほこりを吸い取ることになる。このことは、使用者の意図とは異なる動作となり、自動で動作するがゆえに使用者に不安感を与える可能性がある。【解決手段】エアフィルター部１に付着したほこりを吸い込むノズル部３とともに移動し、その動作状態を表示して使用者に知らせる表示装置２を備えたものである。【選択図】図１
2006118789.tif 000002
【特許請求の範囲】
【請求項１】
室内機のエアフィルターの掃除を自動的に行うオートクリーンシステムを有する空気調和機において、エアフィルターに付着したほこりを吸い込むノズルとともに移動しその動作状態を表示する表示装置を有することを特徴とした空気調和機。
【請求項２】
表示装置は、オートクリーンシステムのノズルの動作直前または停止直後の少なくとも一方の期間に一定時間点滅することを特徴とする請求項１記載の空気調和機。
【請求項３】
オートクリーンシステムの動作不具合が発生した際、表示装置はオートクリーンシステムの動作開始または終了時の点滅パターンとは異なった点滅パターンを表示することを特徴とする請求項２記載の空気調和機。
【請求項４】
オートクリーンシステムの動作不具合が発生した際の異常表示の継続時間に制限を設けたことを特徴とする請求項３記載の空気調和機。
【請求項５】
オートクリーンシステムの不具合が一時的に解消し動作条件が成立後、再度動作不具合が発生した時には、再度異常表示を行うことを特徴とする請求項４記載の空気調和機。
【発明の詳細な説明】
【技術分野】
【０００１】
本発明は、室内機のエアフィルターを自動的に掃除を行うオートクリーンシステムを有する空気調和機に関するものである。
【背景技術】
【０００２】
従来の空気調和機において、空気調和機に設けられたエアフィルターを自動的に清掃するシステムが考案されている（例えば特許文献１参照）。
【０００３】
図６は従来のオートクリーンシステムの概略図である。図６において、ノズル部３は空気調和機の左右方向へ移動しながらエアフィルター部１に付着したほこりを吸い取る動作を行う。また、ノズル部１により吸引したほこりは排出ホース部４を経由して部屋の外へ排出される。さらにエアフィルター部１が回転手段（図示せず）によって、ノズル部３の移動と直角方向に移動される。以上の繰り返し動作によりほこりを吸引するノズル部３が移動し、エアフィルター部１全面のクリーニング（清掃）を行う。表示装置５は空気調和機としての基本機能の運転状態を表示するためのものであり、ＬＥＤなど発光素子を用いて色や発光個所、数により運転状況を使用者に知らせるが、ノズル部３の動きや清掃動作の状態を表示するものではない。
【０００４】
また、運転、タイマー設定など空気調和機の動作状態を使用者に知らせる目的でＬＥＤなどの光源により構成した表示装置を有していた（例えば特許文献２参照）。この表示装置は空気調和機の動作状態や特定の機能を使用者がリモコン等により意図的に設定し動作させたときにその指定機能に応じた表示をするものであり、前記以外には空気清浄機能、換気機能などその空気調和機個々に有する機能選択時にその機能に応じたイメージを表現するものであった。
【特許文献１】特開２００２−３４０３９５号公報
【特許文献２】実開昭５８−１７４６３５号公報
【発明の開示】
【発明が解決しようとする課題】
【０００５】
しかしこれらはいずれも状態の表現であり、表示の示す状態により使用者が空気調和機をより省エネルギーなどに対し効果的に動作させることを目的としている。
【０００６】
すなわち前記した従来の技術による表示装置では、空気調和機または周囲環境の状態を表示することにより、使用者が空気調和機の動作環境を知りたいという欲求を満足させる、使用者自身の要求を満たす動作状態になるように空気調和機の操作を行わせるよう誘導する効果を期待するものであった。
【０００７】
また特許文献１に記載の構成では、清掃動作の状態は何も表示されないが、オートクリーンシステムは基本的に自動的にフィルターのクリーニングを実行するシステムであり、空気調和機の始動直前または停止直後にその機能を発揮するシステムである。従って、オートクリーンシステムの動作は空気調和機の使用者が空気調和機本来の動作を期待してリモコン等で運転指示を行った直後、または空気調和機の機能停止を実行するためにリモコン等で停止させた後、熱交換や空気清浄機能による空気の循環によって空気調和機内に設けられたフィルター部に付着したほこりを吸い取ることになる。別な見方をすると、使用者の意図とは異なる動作となる。このことは、自動で動作するがゆえに使用者に不安感を与える可能性がある。
【０００８】
本発明は上記従来の課題を解決するもので、オートクリーン中の動作状態を表示して、使用者に目視で分かり易くすることにより、自動動作に対する不安感を与えないようにすることを目的とする。
【課題を解決するための手段】
【０００９】
上記課題を解決するため、本発明の空気調和機は室内機のエアフィルターの掃除を自動的に行うオートクリーンシステムを有する空気調和機において、エアフィルターに付着したほこりを吸い込むノズルとともに移動しその動作状態を表示して使用者に知らせる表示装置を備えたものである。
【発明の効果】
【００１０】
本発明の空気調和機は、オートクリーンシステムの動作を視覚的に表示して使用者に知らせることにより、オートクリーンシステムの機能と動作をより効果的に使用者へ伝えることができるとともに、自動で動作するがための不安感を軽減することができる。
【００１１】
また、オートクリーンシステムの今後の挙動を予測することが可能となり、自動的な動作に対して使用者に安心感を与えることができる。
【発明を実施するための最良の形態】
【００１２】
第１の発明は、室内機のエアフィルターの掃除を自動的に行うオートクリーンシステムを有する空気調和機において、フィルターに付着したほこりを吸い込むノズルとともに移動しその動作状態を表示する表示装置を備えることにより、システムの動作を視覚的に使用者に知らせることができ、オートクリーンシステムの機能と動作をより効果的に使用者へ伝えることができるとともに自動で動作するがための不安感を軽減することができる。
【００１３】
第２の発明は、オートクリーンシステムのノズルの動作直前または停止直前の少なくとも一方の期間に通常動作とは異なる点滅パターン等表示装置の点灯パターンに変更することにより、使用者がオートクリーンシステムの次の挙動を推測することで、自動動作に対する不信感や不安感をなくし、安心感を与えることができる。
【００１４】
第３の発明は、吸い込みノズルの停止などオートクリーンシステムの異常を検知した際には即時オートクリーンシステムの動作開始または終了時の点滅パターンとは異なった点滅パターンとし、通常の動作時とは異なる表示とすることにより使用者へ速やかに異常であることの伝達ができる。
【００１５】
第４の発明は、異常表示の継続時間を制限することで、使用者が空気調和機の基本機能の使用までを逸する事を避けることができる。
【００１６】
第５の発明は、オートクリーンシステムの不具合が一時的に解消しオートクリーンシステムの動作条件が成立した後、再度動作不具合が発生した時は、再度異常表示を行うことにより、修理の必要性及び付加機能が達成できていないことを使用者に知らせることができる。
【００１７】
（実施の形態１）
図１は本発明の実施の形態１におけるオートクリーンシステムの概略図で、（ａ）は正面図、（ｂ）は側面図である。図６と同じ構成要素については同じ符号を付して、説明を書略する。本実施の形態ではほこりを吸引するノズル部３と同一構造体に表示装置２を構成することによりノズル部３の左右動作と同時に前記表示装置２が左右に移動する構成とした。
【００１８】
本構成により、表示装置２は表示を行いながらノズル部３と共に左右に移動する。尚、表示は点灯、点滅あるいは『動作中』等の文字表示等各種考えられ、何でも良い。これによって、オートクリーンシステムの動作を視覚的に捕らえることができる。このことは使用者の直接の意図とは異なる動作に対する不安感を軽減することができるだけでなく、オートクリーンという機能を確実に動作させているといったイメージを使用者に与えることができ、前記とは正反対に安心感を与えることができる。
【００１９】
（実施の形態２）
図２は、図１に示すオートクリーンシステムの構成において、本発明の実施の形態２における表示装置の動作を示すフローチャートである。空気調和機停止後にオートクリーンシステムが動作する場合で説明する（構成と、オートクリーンシステムが動作するタイミングは、以下の実施の形態に共通）。
【００２０】
図２において、使用者によるリモコン操作等で空気調和機停止後（Ｓ１）、オートクリーンシステムが動作を開始（Ｓ２）すると表示装置が点滅を開始（Ｓ１６）し、一定時間経過（Ｓ８）するとノズル部３が動作を開始して表示装置２が点灯（Ｓ３）に変わる。そしてオートクリーン動作終了直前（Ｓ１７）になると表示装置２が点滅（Ｓ１８）した後、オートクリーンシステムの動作を停止して表示を消灯（Ｓ６）し、全動作を停止（Ｓ１０）する。
【００２１】
以上の説明のように、オートクリーンシステムの動作中は表示装置は点灯状態で、停止直前と動作開始直後には点滅等通常とは異なる表示を行う構成とした。
【００２２】
これにより、動作開始と停止の区切りを明確化することができ自動的に動作開始、停止となるオートクリーンシステムに対し使用者への安心感をさらに高めることができる。
【００２３】
尚、動作開始直後と停止直前で同じ点滅パターンでも、異なる点滅パターンとしてもよい。またノズル動作開始は、表示装置の点滅が点灯になった時点としているが、点滅開始と同時でもよい。
【００２４】
（実施の形態３）
図３は本発明の実施の形態３における表示装置のフローチャートである。図３において、空気調和機停止後（Ｓ１）にオートクリーンシステムが動作を開始（Ｓ２）するとノズル部３が動作を開始して表示装置２が点灯（Ｓ３）する。そして異常判定（Ｓ４）で異常がなければオートクリーン機能が稼動し、もし異常判定（Ｓ４）で動作に異常が有る場合は表示装置２を動作開始または終了時の点滅パターンとは異なるパターンの異常点滅（Ｓ７）した後、オートクリーンシステムを停止して表示を消灯（Ｓ６）し、全動作を停止（Ｓ１０）する。
【００２５】
以上の説明ように、ノズルの動作不良など異常となった場合、表示装置をオートクリーンシステムの動作開始または終了時の点滅パターンとは異なった点滅パターンによりオートクリーンシステムが動作不良である表示を行う構成とした。
【００２６】
これによりオートクリーンシステムの異常を速やかに使用者へ知らせることができるとともに、動作開始や停止とは異なった表示であることで使用者が混乱しないようにすることができる。
【００２７】
（実施の形態４）
図４は本発明の実施の形態４における表示装置の動作フローチャートである。図４において、図３のフローチャートと同じ動作ステップは説明を省略する。異常判定（Ｓ４）で
動作に異常が有る場合は，表示装置２を動作開始または終了時の点滅パターンとは異なるパターンで所定時間（Ｓ８）の間、異常点滅（Ｓ７）した後、表示を消灯（Ｓ９）して全動作を停止（Ｓ１０）する。
【００２８】
このようにノズルの動作不良など異常となった場合、表示装置を点滅させるが点滅の継続時間に制限を設ける構成とした。
【００２９】
オートクリーンシステムは空気調和機の基本的な機能ではなく付加機能であり、オートクリーンシステムがなんらかの異常で動作不可能な状態であっても空気調和機本来の暖房、冷房といった基本動作は継続可能である。従って、オートクリーンシステムの異常は一旦点滅など通常とは異なった表示により使用者に知らせると共に、一定時間（例えばオートクリーンシステムが正常な場合動作しているであろう時間の間は点滅）後は消灯しオートクリーン動作以降に予定していた空気調和機本来の動作とする。
【００３０】
これにより、付加機能の異常表示継続による使用者への不安感を軽減する事ができる。
【００３１】
（実施の形態５）
図５は本発明の実施の形態５における表示装置の動作フローチャートである。図５において、図４のフローチャートと同じ動作ステップは説明を省略する。完全停止後（Ｓ１０）再度リモコンによる運転開始等によりオートクリーンシステム動作条件が成立（Ｓ１１）すると、異常が継続しているかどうか判断（Ｓ１２）し、異常状態が継続している場合は、再度表示装置２を所定時間の間（Ｓ１４）、動作開始または終了時の点滅パターンとは異なるパターンの異常点滅（Ｓ１３）した後、表示を消灯する。
【００３２】
以上の説明のように、ノズルのひっかかりによる動作不良など異常となった場合、表示装置を点滅させるとともに一定時間後は消灯して完全停止（または動作開始直後にシステム動作するように設定時は基本機能動作に移行）するが、オートクリーンシステムの不具合が解消し、再度オートクリーンシステム動作条件確定時には再度一定時間点滅する構成とした。
【００３３】
これによりオートクリーンシステムが異常であることをその条件確立時に使用者へ知らせることによりシステム異常に対する点検・修理等の行動を促すとともに、故障等により付加機能が機能を達成していないことを使用者へ知らせ、使用者から機能を達成していないことに対する不満や不安感を軽減することができる。
【産業上の利用可能性】
【００３４】
本発明にかかる空気調和機の表示装置は、そのままでは動作状態が見にくいメカニカルな動作を可視化することが出来るので、オートクリーンシステム以外にも、自動的如何にかかわらず風向偏向等のメカニカルな動作を行う機能に対しても適用できる。
【図面の簡単な説明】
【００３５】
【図１】本発明の実施の形態１におけるオートクリーンシステムの概略図
【図２】本発明の実施の形態２における動作フロ−チャート
【図３】本発明の実施の形態３における動作フローチャート
【図４】本発明の実施の形態４における動作フローチャート
【図５】本発明の実施の形態５における動作フローチャート
【図６】従来のオートクリーンシステムの概略図
【符号の説明】
【００３６】
１  エアフィルター部
２  表示装置（オートクリーン動作状態）
３  ノズル部
４  排出ホース部
５  表示装置（基本機能動作状態）
【図１】
2006118789.tif 000003
【図２】
2006118789.tif 000004
【図３】
2006118789.tif 000005
【図４】
2006118789.tif 000006
【図５】
2006118789.tif 000007
【図６】
2006118789.tif 000008